(57)【特許請求の範囲】
【請求項１】
被写体の撮影に先立って該被写体の識別情報とともに、該被写体を撮影者が確認するための被写体情報をデジタルカメラに取り込ませる情報取込工程と、
前記被写体情報に基づいて前記デジタルカメラの表示手段に被写体情報を表示させる表示工程と、
前記表示手段での表示に基づいて被写体を確認した後に前記デジタルカメラにて前記被写体を撮影する撮影工程と、
前記撮影した被写体の画像に前記情報取込工程で取り込んだ識別情報を関連づけて記録する記録工程と、
を含むことを特徴とする画像記録方法。
【請求項２】
前記識別情報が関連づけて記録された画像をデータベースに保存することを特徴とする請求項１の画像記録方法。
【請求項３】
前記情報取込工程は、画像フォーマット、画素数、圧縮率、ファイルサイズ及び画像アスペクト比のうちの少なくとも１つを含む記録画像情報を取り込み、
前記デジタルカメラは前記取り込んだ記録画像情報に基づいて撮影画像の記録処理を行うことを特徴とする請求項１の画像記録方法。
【請求項４】
前記被写体情報は、被写体の写真及び名称のうちの少なくとも一方を含むことを特徴とする請求項１乃至３のいずれかに記載の画像記録方法。
【請求項５】
前記記録工程は、前記撮影した被写体の画像が記録される画像ファイルのヘッダ部分に前記情報取込工程で取り込んだ識別情報を記録することを特徴とする請求項１乃至４のいずれかに記載の画像記録方法。
【発明の詳細な説明】
【０００１】
【発明の属する技術分野】
本発明は画像記録方法に係り、特に被写体と該被写体と特定する識別情報とを関連づけて記録する画像記録方法に関する。
【０００２】
【従来の技術】
従来、病院に導入されている医療システムは、患者の識別情報（患者ＩＤ）と患者に関する診断画像やカルテとを関連づけてデータベースに記録し、必要に応じてデータベースから診断画像等を読み出して使用できるようになっている。
【０００３】
一方、現在、デジタルカメラで撮影した画像と患者ＩＤとの対応づけの方法としては、
１）患者ＩＤ（番号）と診断画像とを対応づけて撮影し、撮影後に画像と患者ＩＤとを対応づける方法や、
２）デジタルカメラに接続したキーボードから患者ＩＤを入力し、当該患者ＩＤと同一のフォルダを作成し、撮影した画像をそのフォルダに記録する方法がある。
【０００４】
【発明が解決しようとする課題】
上記１）の方法は、患者ＩＤの撮影や、撮影後に画像と患者ＩＤとを対応づけるという余分な作業が発生し、煩雑であるという問題がある。
【０００５】
一方、上記２）の方法は、患者ＩＤをオペレータが手入力するため、入力ミスが発生しやすく、患者取り違えが発生するおそれがある。また、入力ミスがあった場合に、それを簡単に確認することができないという問題がある。更に、デジタルカメラにキーボードが接続されているため、カメラを移動させたり、アングルを変えた撮影時などにキーボードが邪魔になる。
【０００６】
また、記録された画像はディレクトリ名等で管理されているため、万一、画像ファイルのみが他のディレクトリ等にコピーされた場合、その後、患者ＩＤとの対応付けが不可能になる。
【０００７】
更に、昨今のデジタルカメラは、画像フォーマット、画素数、圧縮率等の記録画像情報が適宜設定できるようになっているため、誤ってデータベースに適しない形式で記録されてしまうおそれがある。
【０００８】
本発明の目的は、被写体の識別情報の入力の簡略化を図ることができるとともに、撮影前に入力された被写体の識別情報と撮影される被写体との対応関係を容易に確認することができ、更にデータベースに適した形式で自動的に記録することができる画像記録方法を提供することにある。
【００１０】
【課題を解決するための手段】
前記目的を達成するために本願請求項１に係る画像記録方法は、被写体の撮影に先立って該被写体の識別情報とともに、該被写体を撮影者が確認するための被写体情報をデジタルカメラに取り込ませる情報取込工程と、前記被写体情報に基づいて前記デジタルカメラの表示手段に被写体情報を表示させる表示工程と、前記表示手段での表示に基づいて被写体を確認した後に前記デジタルカメラにて前記被写体を撮影する撮影工程と、前記撮影した被写体の画像に前記情報取込工程で取り込んだ識別情報を関連づけて記録する記録工程と、を含むことを特徴としている。
【００１１】
即ち、デジタルカメラの表示手段に撮影しようとする被写体の被写体情報を表示させるようにしたため、被写体の撮影に先立って前記表示された被写体情報から被写体を確認することができる。尚、撮影した被写体の画像には、その被写体の識別情報が関連づけて記録されるが、被写体の識別情報と被写体情報とは一対一に対応しているため、被写体情報によって確認された被写体の画像と被写体の識別情報とは対応付けられることになる。また、前記識別情報が関連づけて記録された画像は、本願請求項２に示すようにデータベースに保存される。
【００１６】
前記情報取込工程は、更に本願請求項３に示すように画像フォーマット、画素数、圧縮率、ファイルサイズ及び画像アスペクト比のうちの少なくとも１つを含む記録画像情報を取り込み、前記デジタルカメラは前記取り込んだ記録画像情報に基づいて撮影画像の記録処理を行うことを特徴としている。これにより、上記記録画像情報が適宜設定できるデジタルカメラにおいて、記録画像情報を画像データベースなどに適した形式に自動的に設定することができる。
【００１７】
前記被写体情報は、本願請求項４に示すように被写体の写真及び名称のうちの少なくとも一方を含むことを特徴としている。尚、被写体が人物の場合には、前記写真は顔写真であり、名称はその人物の名前である。
【００１８】
前記記録工程は、本願請求項５に示すように前記撮影した被写体の画像が記録される画像ファイルのヘッダ部分に前記情報取込工程で取り込んだ識別情報を記録し、これにより識別情報と画像とを対応付けるようにしている。
【００２４】
【発明の実施の形態】
以下添付図面に従って本発明に係る画像記録方法の好ましい実施の形態について説明する。
【００２５】
図１は本発明に係る画像記録装置のシステム構成図である。
【００２６】
同図に示すシステムは、医療システムに適用されたもので、カードリーダ、バーコードリーダなどの入力装置１０と、コンピュータ１２と、デジタルカメラ３０と、医療データベース２０とから構成されている。
【００２７】
前記入力装置１０は、患者ＩＤ（番号）を示すバーコードが記録されたＩＤカード１１から患者ＩＤを読み取り、この患者ＩＤをコンピュータ１２に送信する。尚、ＩＤカード１１は、バーコードが記録されたカードに限らず、磁気カードやＩＣカードなどの他の記録媒体でもよい。
【００２８】
コンピュータ１２は、前記入力装置１０から入力した患者ＩＤを基に医療データベース２０から対応する患者の顔写真、名前などの患者を確認するための患者情報等を読み出し、患者ＩＤとともに読み出した患者情報を無線通信によりデジタルカメラ３０に送信する。
【００２９】
図２は医療データベース２０の内部構成を示すブロック図である。
【００３０】
同図に示すように、医療データベース２０には、前記デジタルカメラ３０との間でブルートゥース規格の無線通信を行うためのアンテナ２０２及び送受信回路２０４と、前記コンピュータ１２との間で患者ＩＤ、顔写真、名前などの必要な情報を送受信することが可能な通信回線Ｉ／Ｆ２０６と、医療データベース２０の全体の制御を行うＣＰＵ２０８と、ＣＰＵ２０８を動作させるプログラムや各種定数等が書き込まれているＲＯＭとＣＰＵ２０８が処理を実行する際の作業領域となるＲＡＭとから構成されるシステムメモリ２１０と、患者ごとの各種のデータが記録される大容量記憶装置２１２とから構成されている。
【００３１】
図３は患者ＩＤを基に整理・管理された患者の各種の情報の一例を示している。同図に示す情報は、医療データベース２０の大容量記憶装置２１２に記憶され、患者ＩＤなどにより情報検索ができるようになっている。
【００３２】
上記医療データベース２０は、コンピュータ１２から患者ＩＤとともに患者情報の要求を通信回線Ｉ／Ｆ２０６を介して受信すると、前記大容量記憶装置２１２から受信した患者ＩＤに基づいてその患者ＩＤに対応する患者の顔写真、名前を読み出し、これをコンピュータ１２に送信する。また、医療データベース２０は、ここで取り扱い可能な画像の画像フォーマット、画素数、圧縮率、ファイルサイズ及び画像アスペクト比などの記録画像情報を保持しており、前記患者情報とともに記録画像情報をコンピュータ１２に送信する。
【００３３】
前記コンピュータ１２は、入力装置１０から入力した患者ＩＤと、その患者ＩＤに基づいて医療データベース２０から受信した患者の顔写真、名前などの患者情報、及び記録画像情報を無線通信によりデジタルカメラ３０に送信する。
【００３４】
図４はデジタルカメラ３０の内部構成を示すブロック図である。同図に示すように、このデジタルカメラ３０撮像系には、被写体の像を受光面に結像させて光電変換し、画像データとして出力する撮像部３０２と、デジタルカメラ３０全体の制御を行うとともに、画像データのサンプリングタイミング制御、画像データの記録制御、通信制御、表示制御、画像を分類したディレクトリの生成等の制御を行う中央処理装置（ＣＰＵ）３０４と、ホワイトバランス補正、ガンマ補正等の処理を行う信号処理部３０６と、アナログの画像信号をデジタルの画像データに変換するＡ／Ｄ変換器３０８とが設けられている。
【００３５】
また、デジタルカメラ３０の入力系には、シャッターボタン、モード切替ダイアル、メニューキー、マルチファンクションの十字キーなどを含む操作部３１０と、前記操作部３１０で入力した各々の情報の信号を変換するポートであるＩ／Ｏ３１２とが設けられている。
【００３６】
また、デジタルカメラ３０の画像変換系には、画像データをＪＰＥＧやＭＰＥＧに代表される手法で圧縮制御したり、圧縮したデータを伸張展開制御する処理を行う圧縮伸張部３２０と、画像データを着脱可能なメモリカード３２２にカードスロット３２４を介して記録したり読み出したりするためにデータを変換するカードインターフェース３２６とが設けられている。
【００３７】
ＣＰＵ３０４には、動作プログラムや各定数が記憶されているＲＯＭと、プログラム実行時の作業領域となるとともに、画像を記録することが可能な記憶手段であるＲＡＭにより構成されているメモリ３３０と、デジタルカメラ３０の動作に関する各種定数や各種情報を電源遮断時にも記憶し続けることが可能な記憶手段である不揮発性メモリ３３２と、撮影日時などを管理するためのカレンダ時計３３４と、撮影時の被写体の光量を補うために発光するストロボ３４０の発光を制御するストロボ制御手段３４２とがバス３５０を介して接続されている。
【００３８】
画像データ等を通信によって外部の機器と送受信する場合に用いるデジタルカメラ３０の通信手段は、前記コンピュータ１２、医療データベース２０及び画像表示装置４０との間で、画像データ、患者情報等の情報を送信又は受信する送受信回路３６０と、搬送波及びデータを送受信するアンテナ３６２とから構成されている。
【００３９】
デジタルカメラ３０の表示系には、液晶モニタ３７２と、画像データを液晶モニタ３７２に表示するための信号に変換するＤ／Ａ変換器３７４と、表示する画像や情報を一時記憶するためのＶＲＡＭ等で構成されているフレームメモリ３７６と、名前などの文字やメッセージをオンスクリーンディスプレイするＯＳＤ３７８とが設けられている。
【００４０】
上記構成のデジタルカメラ３０は、コンピュータ１２から受信した患者情報に基づいて液晶モニタ３７２に患者の顔写真や名前を表示する。図５は液晶モニタ３７２に表示された患者情報の表示例を示す。
【００４１】
撮影者は、液晶モニタ３７２に表示された患者の顔写真や名前によって被写体となる患者を確認したのち、デジタルカメラ３０によりその患者の患部などを撮影する。デジタルカメラ３０は、上記撮影によって取得した画像の画像ファイルへの記録時に画像ファイルのヘッダ部分に患者ＩＤを記録する。図６はＪＰＥＧの画像ファイルの記録構造を示しており、前記デジタルカメラ３０は患者ＩＤを画像ファイルのヘッダー部分の「APP1」に埋め込んで記録する。
【００４２】
その後、デジタルカメラ３０は、ヘッダ部分に患者ＩＤが記録された画像ファイルを、前記医療データベース２０や画像表示装置４０に無線送信する。
【００４３】
尚、このデジタルカメラ３０は、画像フォーマット、画素数、圧縮率、ファイルサイズ及び画像アスペクト比などの記録画像情報を適宜設定できるようになっているが、コンピュータ１２から記録画像情報を受信すると、その受信した記録画像情報が自動的に設定される。そして、撮影によって取得した画像は、自動設定された記録画像情報に基づいて記録処理が行われる。また、この実施の形態では、コンピュータ１２から送られてきた記録画像情報に基づいてデジタルカメラ３０での記録画像情報を設定するようにしたが、コンピュータ１２がデジタルカメラ３０と通信を行い、デジタルカメラ３０で設定可能な記録画像情報を取得した後、医療データベース２０で取り扱う画像に最も適した記録画像情報を選択し、その記録画像情報を選択送信するようにしてもよい。
【００４４】
次に、本発明に係る画像記録方法について、図７に示すフローチャートにしたがって説明する。
【００４５】
まず、受付け等に設置されている入力装置１０により患者のＩＤカード１１を読み取り、これにより患者ＩＤの入力が行われる（ステップＳ１０）。入力装置１０に入力された患者ＩＤは、コンピュータ１２に送信される（ステップＳ１２。
【００４６】
コンピュータ１２は、患者ＩＤをキーに医療データベース２０から患者情報及び記録画像情報を取得し、患者ＩＤとともに取得情報をデジタルカメラ３０に送信する（ステップＳ１４、Ｓ１６）。
【００４７】
デジタルカメラ３０は、受信した記録画像情報に基づいて画像フォーマット、画素数、圧縮率等を自動的に設定し（ステップＳ１８）、また、受信した患者情報に基づいてカメラの液晶モニタに患者の顔写真、名前などを表示し、被写体である患者の確認を行う（ステップＳ２０）。
【００４８】
確認作業が終了すると、デジタルカメラ３０により患者の患部などの撮影を行う（ステップＳ２２）。尚、デジタルカメラ３０が患者ＩＤ、患者情報等の情報を受信している期間、デジタルカメラ３０は撮影が禁止され、受信完了後に撮影が許可されるようになっている。
【００４９】
デジタルカメラ３０は、撮影画像の画像ファイルへの記録時に画像ファイルのヘッダ部分に、前記患者情報とともに取得した患者ＩＤを埋め込む（ステップＳ２４）。これにより、液晶モニタ上で確認した患者と、その患者の撮影画像のファイルのヘッダー部分に埋め込まれた患者ＩＤとは対応関係がとられることになる。
【００５０】
その後、デジタルカメラ３０は、ヘッダ部分に患者ＩＤが記録された画像ファイルを、前記医療データベース２０や画像表示装置４０に無線送信する（ステップＳ２６）。医療データベース２０では、無線通信された画像を、患者ＩＤに基づいて自動的に登録する。
【００５１】
尚、この実施の形態では、ＩＤカード１１から患者ＩＤを入力すると、コンピュータ１２から患者ＩＤと医療データベースからの取得情報とをデジタルカメラ３０に直ちに送信するようにしたが、コンピュータ１２にて入力装置１０を介して入力した患者ＩＤを入力順に蓄積し、デジタルカメラ３０でのスイッチ操作によって患者ＩＤ、患者情報等の情報要求がコンピュータ１２に送信されるごとに、コンピュータ１２から入力順に患者ＩＤ、患者情報等の情報を送信するようにしてもよい。
【００５２】
また、患者ＩＤ及び患者情報等が記録されたＩＤカードを使用し、入力装置１０でそのＩＤカードから患者ＩＤ及び患者情報を読み取り、これらの読み取った情報を直接デジタルカメラ３０に送信するようにしてもよい。この場合、コンピュータ１２や医療データベース２０は不要になる。
【００５３】
更に、この実施の形態では、患者を液晶モニタ上で確認するための患者情報として患者の顔写真と名前としたが、患者を確認することができる情報であれば、他の情報でもよい。
【００５４】
更にまた、この実施の形態では、本発明に係る画像記録方法及び画像記録装置を医療システムに適用し、患者の患部等を被写体とした場合について説明したが、これに限らず、人物や商品等の撮影時にも本発明は適用できる。尚、被写体が商品等の物の場合には、その物の写真や名称などを表示して被写体を確認できるようにする。
【００５５】
図８は本発明に係る画像送信方法のシステム構成図である。
【００５６】
同図に示すシステムは、携帯情報端末（ＰＤＡ）５０と、デジタルカメラ６０と、該デジタルカメラ６０からの画像等の送付先である携帯電話７０、プリンタ８０とから構成されている。尚、携帯電話７０に送信された画像は、後述するようにダイアルアップサーバ９０を介してメールサーバ９２や、ＦＴＰ（File Transfer Protocol）サーバ９４に送信される。
【００５７】
ＰＤＡ５０には、撮影者の個人情報が記録されるとともに、画像の送付先を示す送付先情報等が記録されている。尚、個人情報は、住所、氏名、電話、年齢等を示す情報であり、送付先情報は、携帯電話７０の電話番号、ＰＰＰ（Point-to-point Protoco）電話番号、ＰＰＰアカウント、ＰＰＰパスワード、電子メールアドレス、メールサーバのアドレス、メールアカウント、メールパスワード、ＦＴＰサーバアドレス、ＦＴＰアカウント、ＦＴＰパスワードなどの情報である。
【００５８】
また、ＰＤＡ５０はデジタルカメラ６０と通信する通信機能を有し、デジタルカメラ６０での撮影画像のヘッダーのどの位置にどの情報を記録するかを送信する。
【００５９】
デジタルカメラ６０は、図４に示したデジタルカメラ３０と同様に構成されており、ＰＤＡ５０と無線通信してＰＤＡ５０から送付先情報等を受信し、これを撮影画像の画像ファイルのヘッダー部分に埋め込む。図９はヘッダー部分における記録ヘッダー名と記録値との一例を示している。
【００６０】
携帯電話７０は、公衆回線と無線通信するための通信手段を有するとともに、前記デジタルカメラ６０とブルートゥース規格の無線通信を行うための通信手段を有し、デジタルカメラ６０から受信した画像等の情報をダイアルアップ接続することによりダイアルアップサーバ９０に送信できるようになっている。
【００６１】
ダイアルアップサーバ９０は、前記携帯電話７０からのダイアルアップ接続が可能であり、携帯電話７０から受信した情報をメールサーバ９２やＦＴＰサーバ９４に送信する。
【００６２】
次に、本発明に係る画像送信方法について、図１０に示すフローチャートにしたがって説明する。
【００６３】
まず、ＰＤＡ５０において、デジタルカメラ６０の撮影画像の画像ファイルのヘッダー部分に埋め込む送付先を示す送付先情報及び個人情報等の情報を指定し、デジタルカメラ６０に送信する（ステップＳ５０）。
【００６４】
尚、ＰＤＡ５０内の不揮発性のメモリには、１乃至複数の送付先情報が登録されており、適宜指定した送付先情報をデジタルカメラ６０に送信できるようになっている。また、撮影画像に埋め込む情報をデジタルカメラ６０に通知する手段としては、上記ＰＤＡ５０に限らず、他の外部機器でもよい。
【００６５】
次に、デジタルカメラ６０により送信する画像を撮影し、画像を記録するとともに、該画像の画像ファイルの指定位置に前記受信した情報を埋め込む（ステップＳ５４）。上記ステップＳ５０〜Ｓ５４の処理は、必要回数繰り返される。
【００６６】
デジタルカメラ６０での撮影が終了すると、カメラを撮影モードから画像データ処理モードに切り替える（ステップＳ５６、Ｓ５８）。
【００６７】
画像データ処理モードに切り替えられると、デジタルカメラ６０は撮影した画像のヘッダー部分の記録内容を自動的に検察し、その記録内容に応じて電子メール送信、サーバへのアップロード、プリント出力等の処理を行う（ステップＳ６０）。
【００６８】
即ち、ヘッダー部分に下記の情報、
・Mobile-phone
・PPP-TEL
・PPP-Account
・PPP-Password
・e-mail
が記録されている場合には、電子メール送信又はサーバへのアップロードを行うべく、デジタルカメラ６０から携帯電話７０を経由してダイアルアップサーバ９０とダイアルアップ接続を行う（ステップＳ６２）。デジタルカメラ、携帯電話間は無線によるデータ通信を行う。尚、「Mobile-phon 」の番号により通信相手となる携帯電話を判別する。ダイアルアップ時の電話番号、アカウント、パスワードは、それぞれ「PPP-TEL 」、「PPP-Account 」、「PPP-Password」の記録値を使用する（図９参照）。
【００６９】
そして、ヘッダー部分に更に下記の情報、
・Mail-Server
・Mail-Account
・Mail-Password
が記録されている場合には、画像データを添付ファイルとして電子メール送信を行う（ステップＳ６６）。メール送信時のメールサーバ、アカウント、パスワードは、それぞれ「Mail-Server 」、「Mail-Account」、「Mail-Password 」の記録値を使用する（図９参照）。
【００７０】
一方、ヘッダー部分に下記の情報、
・FTP-Server
・FTP-Account
・FTP-Password
が記録されている場合には、画像データをFTP にてサーバにアップロードする。FTP 先、アカウント、パスワードは、それぞれ「FTP-Server」、「FTP-Account 」、「FTPl-Password 」の記録値を使用する（図９参照）。
【００７１】
上記ステップＳ６６又はステップＳ６８での送信が終了すると、ダイアルアップ接続を解除し、デジタルカメラ６０は送信済み画像から送信に関するヘッダーを削除し（ステップＳ７０）、処理を終了する。
【００７２】
一方、図９に示すように「Printer 」ヘッダーに記録値（送付先のプリンタ情報）が記録されている場合には、ステップＳ６０からステップＳ７２に進む。ステップＳ７２では、デジタルカメラ６０から画像データをプリンタ８０に無線送信する。デジタルカメラ６０は、プリンタ８０に画像データを送信した後、該当ヘッダーを削除し（ステップＳ７０）、処理を終了する。
【００７３】
尚、撮影画像の送付先を示す送付先情報は、図９に示した情報に限らず、他の情報でもよく、要は撮影画像を所望の送付先に自動送信するための情報であればよい。また、送付先情報とともに、プリント時の紙サイズや印刷解像度の指定などの情報や、画像データの処理と関係しない個人情報などを埋め込んでもよい。更に、画像データのプリント、送信等の処理は画像データ個々に行ってもよいし、各処理ごとに複数画像をまとめて処理を行ってもよい。また、デジタルカメラに複数の送付先情報が入力されている場合には、複数の送付先情報に基づいて撮影画像を複数の送付先に同時に送信するようにしてもよい。
【００７４】
また、ＰＤＡから画像に埋め込む送付先情報等をカメラに送信したが、カメラからＰＤＡに情報を要求してもよく、その要求のタイミングは撮影者が操作した場合でもよいし、撮影時（シャッターボタンを操作した時又は撮影モードに設定した時）でもよい。更に、この実施の形態では、カメラから携帯電話を経由して送信したが、カメラからＰＤＡ、携帯電話、及びサーバの順に送信してもよいし、カメラからＰＤＡ、及びサーバの順に送信してもよい。
【００７５】
この実施の形態では、画像の送信終了後に該当ヘッダーを削除したが、削除しなくてもよい。また、画像の送信終了後に画像ファイルを削除してもよい。更に、この実施の形態では、カメラがヘッダーに埋め込まれた情報を解釈して画像データ処理を行ったが、カメラから画像ファイルが記録された記録媒体を取り出し、パソコン等の他の機器でデータ処理を行ってもよい。
【００７６】
【発明の効果】
以上説明したように本発明によれば、撮影した被写体の画像にその被写体の識別情報を関連づけて記録する際に、カードなどの記録媒体から識別情報を読み取ることによって被写体の識別情報や該被写体を撮影者が確認するための被写体情報を自動的にデジタルカメラに取り込むようにしたため、被写体の識別情報を簡単に入力することができるとともに、手入力ではないため、入力ミスも防止することができる。また、デジタルカメラに取り込んだ被写体情報をデジタルカメラの表示手段に表示させるようにしたため、撮影者は被写体の撮影に先立って前記表示された被写体情報から被写体を確認することができ、これにより被写体の画像と被写体の識別情報とを正確に対応付けることができる。
【００７７】
また、画像フォーマット、画素数、圧縮率、ファイルサイズ及び画像アスペクト比等の記録画像情報の設定が可能なデジタルカメラにおいて、外部から取り込んだ記録画像情報に基づいて撮影画像の記録処理を行うようにしたため、画像の送付先の画像データベースなどに適した形式で記録処理を行うことができる。
【００７８】
更に、本発明によれば、外部機器から画像の送付先情報を取り込むようにしたため、撮影した画像を前記送付先情報に対応した送付先に自動的に送信することができる。
【図面の簡単な説明】
【図１】本発明に係る画像記録装置のシステム構成図
【図２】図１に示した医療データベースの内部構成を示すブロック図
【図３】患者ＩＤを基に整理・管理された患者の各種の情報の一例を示す図
【図４】図１に示したデジタルカメラの内部構成を示すブロック図
【図５】図１に示したデジタルカメラの液晶モニタに表示された患者情報の表示例を示す図
【図６】ＪＰＥＧの画像ファイルの記録構造を示す図
【図７】本発明に係る画像記録方法を説明するために用いたフローチャート
【図８】本発明に係る画像送信方法のシステム構成図
【図９】画像ファイルのヘッダー部分における記録ヘッダー名と記録値との一例を示す図
【図１０】本発明に係る画像送信方法を説明するために用いたフローチャート
【符号の説明】
１０…入力装置、１１…ＩＤカード、１２…コンピュータ、２０…医療データベース、３０、６０…デジタルカメラ、４０…画像表示装置、５０…ＰＤＡ、７０…携帯電話、８０…プリンタ、９０…ダイアルアップサーバ、９２…メールサーバ、９４…ＦＴＰサーバ、３０２…撮像部、３０４…ＣＰＵ、３６０…送受信回路、３６２…アンテナ、３７２…液晶モニタ
【図１】
0004397128.tif 000002
【図２】
0004397128.tif 000003
【図３】
0004397128.tif 000004
【図４】
0004397128.tif 000005
【図５】
0004397128.tif 000006
【図６】
0004397128.tif 000007
【図７】
0004397128.tif 000008
【図８】
0004397128.tif 000009
【図９】
0004397128.tif 000010
【図１０】
0004397128.tif 000011